(57)【要約】【課題】体裁がよく、かつ、安全性の高いドアを提供する。【解決手段】ドア枠１内の開口部１３を開閉するドア２に関する。ドア２には、ドア本体２０の戸先端面に対し出没可能に支持され、突出時にラッチ受け９に係合するラッチ係合部８１ａと、ドア本体２０に揺動可能に支持され、ドア枠のラッチ受けとドア本体のラッチとの係合を解除させるプレートハンドル６とが設けられている。プレートハンドル６は、非操作時にはドア本体２０の厚さ方向の表面と同一面となるように構成されている。【選択図】図８
2018084082.tif 000002
【特許請求の範囲】
【請求項１】
ラッチ受けを有するドア枠内の開口を開閉するドアであって、
ドア本体と、
前記ドア本体に該ドア本体の戸先端面に対し出没可能に支持され、突出時に前記ラッチ受けに係合するラッチと、
前記ドア本体に揺動可能に支持され、非操作時にはドア本体の厚さ方向の表面と同一面となるプレートハンドルと、
前記プレートハンドルを操作したときに、前記ラッチを前記ラッチ受けとの係合が解除されるように没入方向に移動させるラッチ解除機構とが設けられている
ことを特徴とするドア。
【請求項２】
請求項１記載のドアにおいて、
前記プレートハンドルは、操作時に前記ドア本体の表面から厚さ方向内側に押し込まれるように揺動するものである
ことを特徴とするドア。
【請求項３】
請求項２記載のドアにおいて、
前記プレートハンドルの揺動方向内側のドア本体には、当該プレートハンドルが前記ドアの面内に押し込まれた際に、前記ドア本体を開閉操作するための手掛かり部が設けられている
ことを特徴とするドア。
【請求項４】
請求項１記載のドアにおいて、
前記プレートハンドルは、前記ドア本体の開口側の端部に設けられている
ことを特徴とするドア。
【請求項５】
請求項１又は４に記載のドアにおいて、
前記プレートハンドルは、前記ドア本体の高さ方向の全体にわたって設けられている
ことを特徴とするドア。
【請求項６】
請求項１又は４に記載のドアにおいて、
前記プレートハンドルは、前記ドア本体の高さ方向の中間位置から下端にわたって設けられている
ことを特徴とするドア。
【請求項７】
ラッチ受けを有するドア枠と、ドア本体を有し、前記ドア枠内の開口を開閉するドアとを備えたドア装置であって、
前記ドア本体には、
前記ドア本体に該ドア本体の戸先端面に対し出没可能に支持され、突出時に前記ラッチ受けに係合するラッチと、
前記ドア本体に揺動可能に支持され、非操作時にはドア本体の厚さ方向の表面と同一面となるプレートハンドルと、
前記プレートハンドルを操作したときに、前記ラッチを前記ラッチ受けとの係合が解除されるように没入方向に移動させるラッチ解除機構とが設けられている
ことを特徴とするドア装置。
【発明の詳細な説明】
【技術分野】
【０００１】
本発明は、ラッチ受けを有するドア枠内の開口を開閉するドア、及び、当該ドアとラッチ受けを有するドア枠とを含むドア装置に関する。
【背景技術】
【０００２】
室内に設置されるラッチ機構を有するドアでは、ドアの面外にレバーハンドルを突設するのが一般的である（例えば、特許文献１及び特許文献２参照）。これらの文献に記載されているドアは、上記レバーハンドルの操作により、ラッチの係合を解除し、ドアの開閉ができるように構成されている。
【先行技術文献】
【特許文献】
【０００３】
【特許文献１】特開平９−２０３２５３号公報
【特許文献２】特開２００４−６８５１８号公報
【発明の概要】
【発明が解決しようとする課題】
【０００４】
しかしながら、特許文献１及び特許文献２に記載されたような従来のドア装置は、レバーハンドルがドア面から離れる方向に向かって突設されているため、室内空間や通路のスペースを損なうという問題がある。また、レバーハンドルに通行人がぶつかる可能性もある。
【０００５】
また、一般的に従来のドア装置に係るレバーハンドルは、上下方向の中間位置に設けられるため、身長の低い子供や高齢者にとって操作がしにくいという問題がある。さらに、周囲の壁面やドア面等の意匠性を高める際に、レバーハンドルの存在によってその意匠性が損なわれる場合がある。
【０００６】
本発明は斯かる諸点に鑑みてなされたもので、その目的は、体裁がよく、かつ、安全性の高いドアを提供することにある。
【課題を解決するための手段】
【０００７】
上記の目的を達成するために、この発明では、ドア本体に揺動可能に支持され、ドア枠のラッチ受けとドア本体のラッチとの係合の解除操作に係るプレートハンドルを、非操作時にドア本体の厚さ方向の表面と同一面となるように構成した。これにより、体裁がよく、かつ、安全性の高いドアを実現することができる。
【０００８】
具体的には、第１の発明に係るドアは、ラッチ受けを有するドア枠内の開口を開閉するものであって、ドア本体と、前記ドア本体に該ドア本体の戸先端面に対し出没可能に支持され、突出時に前記ラッチ受けに係合するラッチと、前記ドア本体に揺動可能に支持され、非操作時にはドア本体の厚さ方向の表面と同一面となるプレートハンドルと、前記プレートハンドルを操作したときに、前記ラッチを前記ラッチ受けとの係合が解除されるように没入方向に移動させるラッチ解除機構とが設けられていることを特徴とする。
【０００９】
この第１の発明では、プレートハンドルの非操作時において、プレートハンドルの表面とドア本体の厚さ方向の表面とが同一面となるように構成している。そのため、ハンドルがドア本体の表面から離れる方向に突出せず、ドアの前後にある室内空間や通路等のスペースを損なうことがない。また、従来技術に係るレバーハンドルやプッシュプルハンドルのように、突出したハンドルに人が接触するようなこともない。さらに、突出したハンドルがないため、非常に体裁のよいドアを実現することができる。
【００１０】
第２の発明は、第１の発明において、前記プレートハンドルは、操作時に前記ドア本体の表面から厚さ方向内側に押し込まれるように揺動するものであることを特徴とする。
【００１１】
この第２の発明では、プレートハンドルがドア本体の厚さ方向内側に押し込まれるように揺動するので、プレートハンドルの表面からの押圧操作によりラッチ解除機構を作動させることができ、ドアの開扉動作に係るプレートハンドルの操作性を高めることができる。具体的には、例えば、操作者（居住者等）は、手の甲で押し込むことにより、ラッチ解除機構を作動させることができるので、荷物を持っているような場合においても、スムーズにドアを開けることができる。
【００１２】
第３の発明は、第２の発明において、前記プレートハンドルの揺動方向内側のドア本体には、当該プレートハンドルが前記ドアの面内に押し込まれた際に、前記ドア本体を開閉操作するための手掛かり部が設けられていることを特徴とする。
【００１３】
上記のような手掛かり部を設けることにより、引き開き式のドアやスライド式のドアにおいても、プレートハンドルがドアの面内に押し込まれてラッチ解除機構が作動した後に、手掛かり部に手を掛けてドアの開扉操作をすることができるようになる。押し開き式のドアの閉扉操作においても同様である。
【００１４】
第４の発明は、第１の発明において、前記プレートハンドルは、前記ドア本体の開口側の端部に設けられている。
【００１５】
この第４の発明では、プレートハンドルがドア本体の開口側の端部に設けられることで、ドアの操作位置の把握が容易であるとともに、ハンドル、ラッチ及びラッチ受けの相互間の距離が近くなるため、それらの構成を単純化、簡素化することができる。
【００１６】
第５の発明は、第１又は第４の発明において、前記プレートハンドルは、前記ドア本体の高さ方向の全体にわたって設けられている。
【００１７】
第６の発明は、第１又は第４の発明において、前記プレートハンドルは、前記ドア本体の高さ方向の中間位置から下端にわたって設けられている。
【００１８】
この第５及び第６の発明では、プレートハンドルがドア本体の高さ方向の全体又は中間位置から下端にわたって設けられているので、身長の低い子供や高齢者等にも開閉操作のしやすい使い勝手のよいドアを実現することができる。
【００１９】
第７の発明は、ラッチ受けを有するドア枠と、ドア本体を有し、前記ドア枠内の開口を開閉するドアとを備えたドア装置であって、前記ドア本体には、前記ドア本体に該ドア本体の戸先端面に対し出没可能に支持され、突出時に前記ラッチ受けに係合するラッチと、前記ドア本体に揺動可能に支持され、非操作時にはドア本体の厚さ方向の表面と同一面となるプレートハンドルと、前記プレートハンドルを操作したときに、前記ラッチを前記ラッチ受けとの係合が解除されるように没入方向に移動させるラッチ解除機構とが設けられていることを特徴とする。
【００２０】
この第７の発明では、第１の発明と同様に、プレートハンドルの非操作時において、プレートハンドルの表面とドア本体の厚さ方向の表面とが同一面となるように構成している。このため、第１の発明と同様に、ドアの開扉操作に係るハンドルがドア本体の表面から離れる方向に突出せず、ドアの前後にある通路やスペースを損なうことがないとともに、通行人に対しての安全性も高く、かつ、非常に体裁のよいドアを実現することができる。
【発明の効果】
【００２１】
以上説明したように、本発明に係るドアは、プレートハンドルがドアの厚さ方向の表面と同一面内に設けられているため、体裁がよく、かつ、安全性の高いドアを実現することができる。
【図面の簡単な説明】
【００２２】
【図１】図１は、実施形態に係るドア装置を示す正面図である。
【図２】図２は、図１のＶ-Ｖ線断面図である。
【図３】図３は、ハンドルユニットを一部分解した分解斜視図である。
【図４】図４は、後側プレートハンドルの係止板とフォークの係止爪との位置関係を示す斜視図である。
【図５】図５は、前側プレートハンドルの係止板とフォークの係止爪との位置関係を示す斜視図である。
【図６】図６は、図５のＶＩＩ−ＶＩＩ線断面図であり、ラッチ係合部がラッチ受けに係合された状態を示す図である。
【図７】図７は、図５のＶＩＩ−ＶＩＩ線断面図であり、ラッチ係合部とラッチ受けとの係合が解除された状態を示す図である。
【図８】図８は、引き開き式のドアの場合において、ラッチ解除後の開扉動作について示した図である。
【図９】図９は、押し開き式のドアの場合において、ラッチ解除後の開扉動作について示した図である。
【図１０】図１０は、変形例に係るドア装置を示す正面図である。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものでは全くない。
【００２４】
−ドア装置の構成−
図１は本発明の実施形態に係るドア装置（建具）を示す。このドア装置Ａは、例えば建物内の開口に施工されたドア枠１を有する。このドア枠１は、左右に位置する２本の縦枠１１，１１と、両縦枠１１，１１の上端部間に横架された上枠１２（鴨居）とを備え、このドア枠１の内部に開口部１３が形成されている。右側の縦枠１１には、上下複数の丁番１４，１４，…（図１では２個）が取り付けられており、ドア２のが丁番１４，１４，…に揺動可能に支持されている。そして、このドア２の揺動によって開口部１３が開閉されるようになっている。左側の縦枠１１には、有底箱状のラッチ受け９が配設されている。なお、以下の説明において、丁番１４，１４，…が取り付けられた方の縦枠１１側を右とし、他方のラッチ受け９が配設された縦枠１１側を左とする。
【００２５】
図１及び図２に示すように、ドア２は、矩形枠状の四方框（芯材）の表裏面にそれぞれＭＤＦ等からなる化粧板２９，２９を一体的に接合したフラッシュパネル構造のドアである。具体的には、四方框は、例えばドア２の左右両端に位置する外側縦框材２１，２１と、両外側縦框材２１，２１の上下端間にそれぞれ連結された上下の横桟材２２，２２とを備えている。さらに、両外側縦框材２１，２１の間において、上下の横桟材２２，２２間は、２つの内側縦框材２３，２４によって連結されている。これらの外側縦框材２１，２１、上下の横桟材２２，２２及び２つの内側縦框材２３，２４は、いずれも同じ平面上に位置しており、その表面及び裏面にそれぞれ化粧板２９，２９が一体的に接合され、固定されている。
【００２６】
ドア２は、左端における上下方向の中間部を内側に向かって正面視矩形状に切り欠いた切欠部２５が形成されたドア本体２０を有している。左外側縦框材２１は、切欠部２５と対応する位置（上下方向の中間位置）で上下に分離されている。左内側縦框材２３は、上記切欠部２５の右側面に沿うように立設されている。さらに、左外側縦框材２１と左内側縦框材２３との間は、切欠部２５の上下側面に沿って延びる内側横桟材２６，２６によって連結されている。すなわち、切欠部２５は、両内側横桟材２６，２６と、左内側縦框材２３とによって区画されている。そして、この切欠部２５には、ハンドルユニット３が取り付け固定されている。
【００２７】
図３に示すように、ハンドルユニット３は、左右方向に対向配置されたフロント板４及びストップガイド５と、その両者の前後端間をそれぞれ接続し、前後方向に対向する一対のプレートハンドル６，６とが箱形状に配置されている。ハンドルユニット３の前後方向の厚さは、ドア本体２０の厚さと略同じである。したがって、ハンドルユニット３が切欠部２５に取り付け固定されたとき、プレートハンドル６，６の外表面と化粧板２９の前後方向の外表面とは、それぞれ、面一になっている（図２及び図６参照）。換言すると、プレートハンドル６，６は、それぞれ、ドア本体２０の前後方向の表面（化粧板２９の前後方向の外表面）と同一面内に設けられている。なお、本開示において、「同一面内」とは、実質的に同一の面内であることを指すものとする。具体的には、プレートハンドル６，６が、ドア本体２０の前後方向の表面に対して若干突出していたり、若干凹んでいたりするものを含む概念である。より具体的には、例えば、化粧板の厚さに応じた幅で、プレートハンドル６，６がドア本体２０の前後方向に凹んでいるようなものも含む概念である。「面一」についても、同様である。
【００２８】
フロント板４は、上下方向に延びており、その上下方向の高さは、切欠部の上下方向の高さよりも若干高く設定されている。フロント板４には、ハンドルユニット３を切欠部２５に取り付ける際に、切欠部２５の上下端から突出する位置にねじ孔４１，４１が形成されている。フロント板４は、このねじ孔４１，４１に挿入されたねじ４２，４２によって内側横桟材２６又は左外側縦框材２１にねじ止め固定されている。また、フロント板４の上下方向の中間位置には、後述するスイングラッチ８のラッチ係合部８１ａ（図３参照）の出し入れが可能に構成された矩形状のガイド孔４３がその厚さ方向（左右方向）に貫通形成されている。
【００２９】
ストップガイド５は、上下方向に延びる略矩形状のプレートである。ストップガイド５の左側面は、略曲面状に凹陥する凹陥部５１が形成されていて、ドアを開閉させるための手掛かり部を構成している。凹陥部５１の開放端側の前後端部５１ａ，５１ａは、左右方向に若干長めに形成されており、後述するプレートハンドル６の係止段部６４が係止できるようになっている。ストップガイド５の高さは、切欠部２５の高さより若干低く、その上下方向の端部寄りの位置には、それぞれねじ孔５２，５２が貫通形成されている。ストップガイド５は、このねじ孔５２，５２に挿入されたねじ５３，５３によって左内側縦框材２３にねじ止め固定されている。
【００３０】
図４及び図５に示すように、プレートハンドル６の左端部には、上下一対の丁番６１，６１が突設されており、該丁番６１，６１を介してフロント板４の前後方向の端部に揺動可能に軸支されている。また、プレートハンドル６の内面中央部には、略球台形状のばね受け６２が突設されており、両ばね受け６２，６２間に、両プレートハンドル６，６間を外側に付勢するスプリングばね６９（図６参照）が介挿されている。
【００３１】
プレートハンドル６の右端部は、若干肉厚になっており、その肉厚部分（以下、肉厚部６３という）の外側には、ストップガイド５の凹陥部５１の前後端部５１ａ，５１ａ（開放側の両端部）に内側から係止される係止段部６４が形成されている。このように、係止段部６４とストップガイド５とがそれぞれ係止されるため、両プレートハンドル６，６がドア本体２０の表面よりも外側に揺動する動きが規制されている（図３参照）。したがって、一対のプレートハンドル６，６は、操作前の状態（非操作時）においてドア本体２０の表面とフラットな状態で保持されるとともに、このフラットな状態からドア本体２０の内側に向かって他方のプレートハンドル６と当接するまでの間で押し込み操作をすることができる、すなわち、揺動可能である。
【００３２】
なお、ストップガイド５を省いてドア本体２０（ドア２）を構成することも可能である。具体的には、上記左内側縦框材２３の切欠部２５と対応する位置を、ストップガイド５の凹陥部５１と同じように略曲面上に凹陥させることにより実現できる。
【００３３】
フロント板４の内面（右側面）には、箱状の鍵ボックス７が一体的に突設されている。図６及び図７に示すように、箱状の鍵ボックス７には、スイングラッチ８が左右方向に揺動可能に収容されている。スイングラッチ８は、前後方向に見て、逆Ｌ字形状のスイングボディ８１と、右側が開放された略Ｕ字状のフォーク８２とによって構成されている。フォーク８２とスイングボディ８１とは、上下方向に並べて配設されている。詳細は図示しないが、スイングボディ８１の上端部は、上側から見てコ字状にかつ前後方向に見て略Ｌ字形状に凹陥しており、フォーク８２の左下部（中間部）が挿入できるようになっている。そして、スイングボディ８１にフォーク８２の中間部が挿入された状態で、両者間は連結ピン８３を用いて一体的に連結されている。スイングボディ８１の左下端部は、ラッチ係合部８１ａを構成している。また、フォーク８２の上下の開放端は、一対の係止爪８２ａ，８２ｂを構成している。
【００３４】
ラッチ係合部８１ａは、スイングラッチ８（スイングボディ８１）の揺動により、フロント板４のガイド孔４３の外側（左側）への突出と、ガイド孔４３の内側（右側）への没入が可能に構成されている。ラッチ係合部８１ａの左端面は、略矩形状に凹陥しており、この凹陥部にマグネット８１ｂが嵌められ、ねじ止め固定されている。左側の縦枠１１に設けられたラッチ受け９の内側には、右前側（右上側）から左奥側（左下側）に向かって傾斜する傾斜面９１が形成されており、この傾斜面９１に強磁性材からなる吸着板９２がねじ止め固定されている。また、スイングボディ８１には、連結ピン８３の下側に左端面から右側に向かって延びる有底のばね収容孔８４が形成され、このばね収容孔８４にコイルばね８５が挿入されている。このコイルばね８５は、ラッチ係合部８１ａがガイド孔４３に没入する没入方向に移動したとき、すなわちラッチ係合部８１ａとラッチ受け９との係合が解除された場合に、ドア２が開錠状態を保持するように付勢されている。なお、ラッチ係合部８１ａのマグネット８１ｂと吸着板９２との間の吸引力は、上記コイルばね８５による付勢力よりも若干大きくなるように設定されている。したがって、ドア本体２０がラッチ係合部８１ａとラッチ受け９とが対向するドアの閉位置に移動すると、マグネット８１ｂが吸着板９２に吸引移動することにより、ラッチ係合部８１ａがラッチ受け９に進入し、ドア２の閉状態（施錠状態）が保持されるようになっている。
【００３５】
図４及び図５に戻り、プレートハンドル６において、それぞれのばね受け６２の左側には、係止板６５が内側に向かって突設されている。係止板６５は、左右方向から見た場合に、基端部から離れる方向の先端部に向かってその厚さが薄くなるように構成されている。係止板６５は、一対のプレートハンドル６，６で左右方向の位置が揃えられている一方で、上下方向の位置をずらして配設されている。具体的には、図５に示すように、前側のプレートハンドル６（以下、プレートハンドル６ａともいう）の係止板６５（以下、係止板６５ａともいう）は、プレートハンドル６ａがフラットな状態において、その先端部の上面が、施錠状態に係るフォーク８２上側の係止爪８２ａと当接するように配設されている。同様に、図４に示すように、後側のプレートハンドル６（以下、プレートハンドル６ｂともいう）の係止板（以下、係止板６５ｂともいう）は、プレートハンドル６ｂがフラットな状態において、その先端部の上面が、施錠状態に係るフォーク下側の係止爪８２ｂと当接するように配設されている。
【００３６】
−ドアの開閉動作−
次に、ドアの開閉動作について詳細に説明する。
【００３７】
以下において、後側のプレートハンドル６ｂを操作して、ドア２を開扉させる場合について詳細に説明する。具体的には、まず、後側のプレートハンドル６ｂがスプリングばね６９の弾性に抗してドア本体２０の内側（前側）に向かって押圧操作される。プレートハンドル６ｂがドア本体２０の内側に向かって押し込まれると、プレートハンドル６ｂに一体形成された係止板６５ａが左右方向に若干傾斜しながらドア本体２０の内側に向かって移動する。すると、係止爪８２ａが係止板６５ａの傾斜面を先端部から基端部に向かって摺動し、フォーク８２が上側に押し上げられる。これにより、スイングボディ８１が図６の状態から反時計回りに揺動し、ラッチ係合部８１ａ（マグネット８１ｂ）が吸着板９２から分離される。さらに、プレートハンドル６がドア本体２０の内側に向かって押し込まれると、図７に示すように、ラッチ係合部８１ａがガイド孔４３の内側に引き込まれ、ドア２の開閉が可能な状態となる。この状態を上下方向から見た状態を図８及び図９に示している。
【００３８】
図８は引き開き式のドアの場合におけるラッチ解除後のドア２の開扉操作について示した図である。また、図９は押し開き式のドアの場合におけるラッチ解除後のドア２の開扉操作について示した図である。
【００３９】
まず、引き開き式のドア２の場合について、図８を用いて具体的に説明する。プレートハンドル６ｂがドア本体２０の内側に向かって前側のプレートハンドル６ａに当接又は近接するところまで押し込まれると、プレートハンドル６ｂとストップガイド５との間に凹状のスペースが形成される。この凹条スペースに手指を挿入し、手の甲等でラッチ解除状態を保持しながら、指の先端部をストップガイド５の凹陥部５１（後端部５１ａ）に掛けてドア本体２０を引き寄せる。これにより、ドア本体２０が後側に向かって揺動する。この場合、ストップガイド５の凹陥部５１（後端部５１ａ）は、手掛かり部としての機能を有する。
【００４０】
次に、押し開き式のドア２の場合について、図９を用いて具体的に説明する。
【００４１】
押し開き式のドア２の場合、ドア２の開閉が可能な状態（図７の状態）になった後もプレートハンドル６ｂ又はドア本体２０の後面をそのまま前側に向かって押し進めることにより、ドア本体２０を前側に向かって揺動させることができる。
【００４２】
なお、引き開き式及び押し開き式のいずれにおいても、ドア２の開扉後、プレートハンドル６ｂから手指を離すと、スプリングばね６９の付勢力によってプレートハンドル６ｂが操作前の位置に向かって揺動し、両プレートハンドル６ａ，６ｂが平行状態に復帰する。
【００４３】
また、前側のプレートハンドル６ａを操作して、ドア２の開扉させる場合においても、上記後側のプレートハンドル６ｂの開閉操作と同様であり、ここではその詳細な説明を省略する。
【００４４】
次に、ドア２を閉扉操作する場合について詳細に説明する。閉扉操作については、引き開き式のドア２及び押し開き式のドア２ともに同じ操作を行う。具体的には、図８に示すような状態までプレートハンドル６（６ａ又は６ｂ）を押し込んだ後、凹条スペースに手指を挿入し、ドア本体２０を開口部１３が閉鎖される方向に揺動させる。ドア本体２０が閉位置まで移動させられると、マグネット８１ｂと吸着板９２との間の吸引力により、ラッチ係合部８１ａがラッチ受け９に係合し、閉扉操作が完了する。
【００４５】
以上のように、本実施形態によると、プレートハンドル６の非操作時において、プレートハンドル６の厚さ方向の表面とドア本体２０の厚さ方向の表面と同一面となるように構成している。このような構成とすることで、プレートハンドル６がドア本体２０の表面から離れる方向に突出しないため、ドア２の前後にある通路やスペースを損なうことがない。また、従来技術に係るレバーハンドルやプッシュプルハンドルのように、突出したハンドルに人が接触するようなこともない。さらに、突出したハンドルがないため、非常に体裁のよいドア２を実現することができる。
【００４６】
［その他の実施形態］
なお、上記実施形態では、ドア本体２０の上下方向の中間部分に切欠部２５が設けられているものとしたが、これに限定されない。例えば、図１０に示すように、ドア本体２０の高さ方向の中間位置から下端にわたって切欠部２５が設けられるようにしてもよい。この場合、その切欠部２５の高さに対応したプレートハンドル６を設ければよい。また、例えば、ドア本体の高さ方向の全体にわたってプレートハンドル６が設けられるようにしてもよい。この場合、内側縦框材２３の左側全体にわたって延びるストップガイド５が内側縦框材２３に取り付けられる。そして、そのストップガイド５に対応してドア本体の高さ方向の全体にわたるプレートハンドル６が取り付けられる。このように、プレートハンドル６の上下方向の高さを大きくすることで、操作者の身長等に関わらず、すなわち、子供や高齢者等の操作位置が低い方、又は、身長が非常に高い方にも操作しやすいドア２及びドア装置Ａを提供することができる。
【００４７】
また、上記実施形態では、プレートハンドル６がドア本体２０の内側に向かって押し込まれることにより、ラッチ係合部８１ａと吸着板９２との係合が解除されるのもとしたが、これに限定されない。例えば、プレートハンドルをドア本体の外側に向かって揺動させることにより、ラッチ解除機構が作動するようにしてもよい。この場合、図示しないが、例えば、プレートハンドルの表板の一部が切り欠かれている切欠部又はプレートハンドルに表面から内側に向かって傾斜面を有するように凹陥する凹部（以下、総称して手掛かり部という）を設け、その手掛かり部に手を掛けてプレートハンドルをドア本体の外側に向かって揺動できるように構成するとよい。また、例えば、手掛かり部の内側にラッチ解除機構を実現するための押圧式のボタンを設け、そのボタンを押すことにより、ラッチ解除機構が作動するようにしてもよい。このように、本開示において、プレートハンドルを操作するとは、プレートハンドル自体を操作することに加えて、ボタンやレバー等のプレートハンドルに付設された操作機構を操作することを含む概念である。
【００４８】
また、上記実施形態では、引き開き式及び押し開き式のドアについて説明したが、本発明は、スライド式の引戸や吊戸にも適用できる。この場合においても、スライド式の引戸や吊戸に係るドア本体に対して、上記実施形態又はその他の実施形態に記載したような構成を設けることにより、同様の効果が得られる。
【産業上の利用可能性】
【００４９】
本発明は、安全性が高く、室内空間及び通路の設計に係るスペースの制約が緩和されるとともに、ドアのデザイン性を高めることが可能であり、極めて有用であり、産業上の利用可能性が高い。
【符号の説明】
【００５０】
Ａ  ドア装置
１  ドア枠
２  ドア
６  プレートハンドル
２０  ドア本体
５１  凹陥部（手掛かり部）
８１ａ  ラッチ係合部（ラッチ）
【図１】
2018084082.tif 000003
【図２】
2018084082.tif 000004
【図３】
2018084082.tif 000005
【図４】
2018084082.tif 000006
【図５】
2018084082.tif 000007
【図６】
2018084082.tif 000008
【図７】
2018084082.tif 000009
【図８】
2018084082.tif 000010
【図９】
2018084082.tif 000011
【図１０】
2018084082.tif 000012